(57)【要約】      （修正有）【課題】視線の変更や操作する手を変更することなく、簡単かつ素早い操作で撮影者の意図通りに露出条件の変更が可能な撮像装置を提供する。【解決手段】第１の方向と、第１の方向と直交する第２の方向と、第１及び第２の方向と直交する第3の方向への入力操作が可能な操作部材と、露出条件であるシャッター速度、絞り値、ＩＳＯ感度の３つのパラメータのうち、任意の２つのパラメータをマニュアル操作可能とし、残り１つのパラメータを自動的に決定する３パターンの露出モードと、を備える。任意の２つのパラメータは、操作部材の第１及び第２の方向への入力操作により各々変更可能、且つ、第１の方向と第２の方向の略中間方向への入力操作により同時に変更可能であり、さらに、第３の方向への押圧操作もしくは第３の方向への押圧操作と第１および第２の方向への入力操作との組合せ操作を行うことにより、露出モードを変更可能である。【選択図】図１
2018113533.tif 000002
【特許請求の範囲】
【請求項１】
第１の方向と、第１の方向と直交する第２の方向と、第１及び第２の方向と直交する第3の方向への入力操作が可能な操作部材（１６）と、
露出条件であるシャッター速度、絞り値、ＩＳＯ感度の３つのパラメータのうち、任意の２つのパラメータをマニュアル操作可能とし、残り１つのパラメータを自動的に決定する３パターンの露出モードと、を備え、
前記任意の２つのパラメータは、前記操作部材（１６）の第１及び第２の方向への入力操作により各々変更可能、且つ、第１の方向と第２の方向の中間方向への入力操作により同時に変更可能であり、さらに、第３の方向への押圧操作もしくは第３の方向への押圧操作と第１および第２の方向への入力操作との組合せ操作を行うことにより、前記露出モードを変更可能である、
ことを特徴とする撮像装置。
【請求項２】
前記第３の方向への押圧操作により、前記３パターンの露出モードを所定のサイクルで変更する、ことを特徴とする請求項１に記載の撮像装置。
【請求項３】
前記露出モードを、
前記第３の方向への押圧操作により前記３パターンの露出モードのうち第１の露出モードに変更し、
前記第３の方向への押圧操作と第１の方向への入力操作の組合せ操作により前記３パターンの露出モードのうち第２の露出モードに変更し、
前記第３の方向への押圧操作と第２の方向への入力操作の組合せ操作により前記３パターンの露出モードのうち第３の露出モードに変更する、
ことを特徴とする請求項１に記載の撮像装置。
【請求項４】
前記露出モードを、
前記第３の方向への押圧操作と第１の方向の一方向への入力操作の組合せ操作により前記３パターンの露出モードのうち第１の露出モードに変更し、
前記第３の方向への押圧操作と第１の方向の一方向と対向方向への入力操作の組合せ操作により前記３パターンの露出モードのうち第２の露出モードに変更し、
前記第３の方向への押圧操作と第２の方向の一方向への入力操作の組合せ操作により前記３パターンの露出モードのうち第３の露出モードに変更する、
ことを特徴とする請求項１に記載の撮像装置。
【請求項５】
前記第３の方向への押圧操作と前記第１の方向への入力操作との組合せ操作により、前記露出モードを所定のサイクルで変更し、
前記第３の方向への押圧操作と前記第２の方向への入力操作との組合せ操作により前記露出モード以外の設定を変更可能とする、
ことを特徴とする請求項１に記載の撮像装置。
【請求項６】
前記露出モード以外の設定とは、露出補正量の設定であることを特徴とする請求項５に記載の撮像装置。
【請求項７】
前記露出モードを変更する所定のサイクルとは、前記第１の露出モード→前記第２の露出モード→前記第３の露出モード→前記第１の露出モードである、
ことを特徴とする請求項２乃至５のいずれか１項に記載の撮像装置。
【請求項８】
前記露出モードを変更する所定のサイクルとは、前記第１の露出モード→前記第３の露出モード→前記第２の露出モード→前記第１の露出モードである、
ことを特徴とする請求項２乃至５のいずれか１項に記載の撮像装置。
【請求項９】
前記第1の露出モードとはシャッター速度と絞り値をマニュアル操作可能とする露出モードであり、
前記第２の露出モードとはシャッター速度とＩＳＯ感度をマニュアル操作可能とする露出モードであり、
前記第３の露出モードとは絞り値とＩＳＯ感度をマニュアル操作可能とする露出モードである、
ことを特徴とする請求項３乃至８のいずれか１項に記載の撮像装置。
【発明の詳細な説明】
【技術分野】
【０００１】
本発明は、ユーザーの指示操作に基づいて露出条件を変更可能な情報入力装置を備えたデジタルカメラ等の撮像装置に関するものである。
【背景技術】
【０００２】
従来のカメラにおいて、一般的にはシャッター速度／絞り値／ＩＳＯ感度の３つの露出パラメータから露出が決められる。露出モードの種類は任意に設定可能なパラメータと自動的に決まるパラメータの組み合わせにより複数存在している。例えば、露出パラメータの一部をユーザーが任意に設定し、残りのパラメータをカメラが自動的に決定するモードの他、露出パラメータの全てをユーザーが任意に選択できるマニュアルモードやカメラが最適な露出条件を自動的に決める全自動モードがある。それらの露出モードはモードダイヤル等の操作部材で設定する。
【０００３】
各露出モードにおける露出パラメータの設定は、露出モードの設定を行うモードダイヤル等の操作部材とは別に設けられた回転または押圧操作により設定入力を行うダイヤルや押込み釦等の操作部材で行われている。ここで、露出パラメータの操作性を向上させる方法として、２方向の変位が同時に検出可能な操作部材、例えばトラックボールを用いてシャッター速度と絞り値を同時に設定入力する方法が提案されている（特許文献１）。
【先行技術文献】
【特許文献】
【０００４】
【特許文献１】特開平８−１１４８２６号公報
【発明の概要】
【発明が解決しようとする課題】
【０００５】
しかしながら、特許文献１のような従来の操作方法では、咄嗟に露出モード及び露出パラメータの変更を行いたい場合に、操作部の位置を確かめて操作するために一度ファインダーから視線を外したり、操作する手を変更したりと操作が煩雑である。そのため、素早い露出条件の変更が求められるシーンにおいて、シャッターチャンスを逃してしまう可能性がある。
【０００６】
そこで、本発明の目的は、視線の変更や操作する手を変更することなく、簡単かつ素早い操作で撮影者の意図通りに露出条件の変更が可能な撮像装置を提供することである。
【課題を解決するための手段】
【０００７】
上記課題を解決する為の本発明に係る撮像装置は、
第１の方向と、第１の方向と直交する第２の方向と、第１及び第２の方向と直交する第3の方向への入力操作が可能な操作部材（１６）と、
露出条件であるシャッター速度、絞り値、ＩＳＯ感度の３つのパラメータのうち、任意の２つのパラメータをマニュアル操作可能とし、残り１つのパラメータを自動的に決定する３パターンの露出モードと、を備え、
前記任意の２つのパラメータは、前記操作部材（１６）の第１及び第２の方向への入力操作により各々変更可能、且つ、第１の方向と第２の方向の略中間方向への入力操作により同時に変更可能であり、さらに、第３の方向への押圧操作もしくは第３の方向への押圧操作と第１および第２の方向への入力操作との組合せ操作を行うことにより、前記露出モードを変更可能である、ことを特徴とする。
【発明の効果】
【０００８】
本発明によれば、視線の変更や操作する手を変更することなく、簡単かつ素早い操作で撮影者の意図通りに露出条件の変更が可能な撮像装置を提供することができる。
【図面の簡単な説明】
【０００９】
【図１】本実施例に係る露出モード及び露出パラメータの変更操作方法
【図２】本実施例に係る実施形態の一例であるデジタルカメラの概略図
【図３】本実施例に係る実施形態の一例であるデジタルカメラの情報入力操作部材の概略図
【図４】本実施例に係る実施形態の一例であるデジタルカメラの露出情報に関わる主要な電気的構成を示すブロック図
【図５】本実施例に係る露出モード及び露出パラメータの変更操作方法
【図６】本実施例に係る露出モード及び露出パラメータの変更操作を含む多方向キーの操作方法
【発明を実施するための形態】
【００１０】
以下に、本発明の好ましい実施形態の一例を、添付の図面に基づいて詳細に説明する。
［実施例１］
まず、図２〜図３を参照して、本発明を適用したデジタルカメラの概略構成について説明する。
【００１１】
図２は本発明の実施形態の一例であるデジタルカメラの概略図であり、図２（ａ）は概略背面図、図２（ｂ）は概略上面図をそれぞれ示している。図３は本発明の実施形態の一例であるデジタルカメラの情報入力操作部材の概略図であり、図３（ａ）は概略正面図、図３（ｂ）は概略断面図をそれぞれ示している。
【００１２】
カメラ本体１１の背面には、液晶表示板を利用した表示手段であり画像や各種情報を表示するための表示パネル１２、撮影範囲を確認するためのファインダ１３、各種設定条件を変更するための情報入力操作部材である多方向キー１６が設けられている。また、カメラ本体１１の上面には、撮像動作を実行するためのシャッターボタン１４とカメラ本体１１の電源のオン／オフを切り替えるための電源スイッチ１５が設けられている。カメラ本体１１の正面には撮影光束をカメラ内に導くための撮影レンズ１７が設けられている。
【００１３】
図３（ａ）に示すように、上述した多方向キー１６は、互いに直交する水平軸２方向（以下、Ｘ方向左右）と垂直軸２方向（以下、Ｙ方向上下）の２軸４方向への入力操作と、前記直交する２方向の略中間の斜め方向（４方向）への入力操作の計８方向へ入力操作が可能である。更に、前記Ｘ方向とＹ方向の２方向と直交する押込み方向（以下、Ｚ方向）にも押圧入力操作が可能である。
【００１４】
そして、図３（ｂ）に示すように、入力操作を検知するための検知スイッチ１８は、上、下、左、右、中央に５つ配置されている。多方向キー１６の操作部は中央に凸形状の操作レバー１６ａを備えた円盤状の形状になっており、操作部の内観側には検知スイッチをオンするための押し子１６ｂが検知スイッチ１８と対向する位置に設けられている。
【００１５】
ＸＹ方向への入力検知は、操作レバー１６ａをＸＹ方向に傾倒操作、Ｚ方向への入力検知は、操作レバー１６ａをＺ方向に押圧操作することにより、それぞれ押し子１６ｂが検知スイッチ１８をオンして入力を検知する構造になっている。また、Ｚ方向への押圧入力を行いながら任意のＸＹ方向へ傾倒操作することでＺ方向への押圧入力とＸＹ方向への入力が同時に検知され、Ｚ方向入力とＸＹ方向入力を組み合わせた入力操作が可能となる。斜め方向への入力検知は、Ｘ方向とＹ方向のそれぞれの入力のうち１つずつが略同時に検知されることにより実行される。
【００１６】
本実施例においては、入力を検知するためのスイッチは５つしか設けていないが、斜め方向への入力を検知するために、斜め方向にも独立したスイッチを設けてもよい。また、本実施例ではＺ方向への押圧入力とＸＹ方向への入力を同時に検出可能な操作デバイスを例に挙げているが、Ｚ方向入力とＸＹ方向入力がそれぞれ独立し、同時入力ができない操作デバイスでも構わない。なお、上述した以外の構成等についての説明はここでは省略するが、カメラ本体１１には、一般にカメラとして要求される機能を満足するための部品等が必要に応じて適宜付設されている。
【００１７】
次に、図４を参照して、本発明を適用したデジタルカメラの露出情報の入出力動作について説明する。図４は、本発明の実施形態の一例であるデジタルカメラの露出情報に関わる主要な電気的構成を示すブロック図である。カメラ本体１１に内蔵されたマイクロコンピュータからなる中央処理装置（以下、「ＭＰＵ」と称する）２０は、カメラの動作制御を司るものであり、各要素に対して様々な処理や指示を実行する。ＭＰＵ２０には、入力検出回路２３、測光回路２２、液晶表示駆動装置２４、カラー液晶駆動装置２５が接続されている。これらの回路は、ＭＰＵ２０の制御により動作するものである。
【００１８】
入力検出回路２３には、多方向キー１６、シャッターボタン１４、電源スイッチ１５等の操作部材が接続されており、各操作部材の操作状態に応じて入力信号をＭＰＵ２０に送信する。
【００１９】
ここで、シャッターボタン１４は、スイッチＳＷ１とＳＷ２の２つの回路を備えており、スイッチＳＷ１はシャッターボタン１４の第１ストローク（半押し）によりオンされ、スイッチＳＷ２はシャッターボタン１４の第２ストローク（全押し）によりオンされる。スイッチＳＷ１がオンされると、不図示の焦点検出回路により焦点検出動作を開始する指示がＭＰＵ２０に送信され、スイッチＳＷ２がオンされると、撮影開始の指示がＭＰＵ２０に送信される。
【００２０】
一方、撮影レンズ１７を介して入射した撮像光束は、測光センサ２１と撮像素子２６へと導かれる。測光センサ２１へと導かれた撮影光束は、測光回路２２で観察面上の各エリアの輝度信号に変換され、ＭＰＵ２０に出力される。ＭＰＵ２０では、得られた輝度信号とユーザーにより設定された露出モード及び露出条件に基づいて露出値を算出する。ユーザーによる設定とＭＰＵ２０から算出された露出値は、液晶表示駆動装置２４とカラー液晶駆動装置２５を介して、ファインダ内表示部１３ａと表示パネル１２にそれぞれ表示される。
【００２１】
スイッチＳＷ２がオンされると、カメラは算出された露出値に基づいて撮影を開始し、撮像素子２６へと入射した撮像光束は、撮像素子２６で光電変換され、ＭＰＵ２０へと送信される。ＭＰＵ２０では、得られた撮像情報を記録画像へと変換し、カラー液晶駆動装置２５を介して記録画像を表示パネル１２に表示させる。
【００２２】
次に本実施例１における露出モードの種類とその設定方法、各露出モードにおける露出パラメータの変更操作方法について説明する。
【００２３】
カメラの撮像時の露出は、一般的にシャッター速度／絞り値／ＩＳＯ感度の３つの露出パラメータから決められる。露出モードには、上記３つの露出パラメータの全てをユーザーが任意に選択できるマニュアルモードの他、露出パラメータの一部をユーザーが任意に選択し、予めユーザーが設定した露出補正量に応じて残りのパラメータをカメラが自動的に決定するモードがある。本実施例においては、特に上記３つの露出パラメータのうち２つを任意に選択可能とした３つの組み合わせの露出モード「Ｔｖ/Ａｖモード」「Ｔｖ/ＩＳＯモード」「Ａｖ/ＩＳＯモード」について説明する。
【００２４】
図１に実施例１における露出パラメータ及び露出モードの変更方法を示す。図中に示すパラメータは、シャッター速度をＴｖ、絞り値をＡｖ、ＩＳＯ感度をＩＳＯと略表記する。露出モード「Ｔｖ/Ａｖモード」は、シャッター速度／絞り値／ＩＳＯ感度のうちシャッター速度と絞り値を任意に選択可能とし、ＩＳＯ感度をオートとしたモードである。このモードでは多方向キー１６のＸ方向の操作でシャッター速度、Ｙ方向の操作で絞り値、ＸＹ斜め方向の操作でシャッター速度と絞り値を同時に変更可能とする。
【００２５】
露出モード「Ｔｖ/ＩＳＯモード」は、所謂シャッター速度優先モードであり、シャッター速度／絞り値／ＩＳＯ感度のうちシャッター速度とＩＳＯ感度を任意に選択可能とし、絞り値をオートとしたモードである。このモードでは多方向キー１６のＸ方向の操作でシャッター速度、Ｙ方向の操作でＩＳＯ感度、ＸＹ斜め方向の操作でシャッター速度とＩＳＯ感度を同時に変更可能とする。
【００２６】
露出モード「Ａｖ/ＩＳＯモード」は、所謂絞り優先モードであり、シャッター速度／絞り値／ＩＳＯ感度のうち絞り値とＩＳＯ感度を任意に選択可能とし、シャッター速度をオートとしたモードである。このモードでは多方向キー１６のＸ方向の操作でＩＳＯ感度、Ｙ方向の操作で絞り値、ＸＹ斜め方向の操作でＩＳＯ感度と絞り値を同時に変更可能とする。
【００２７】
ここで、本実施例における多方向キー１６の操作による設定変更は、Ｘ方向右入力で設定値一段アップ、Ｘ方向左入力で設定値一段ダウン，Ｙ方向上入力で設定値一段アップ、Ｙ方向下入力で設定値一段ダウンとする。この時、ＸＹ方向の入力操作、例えばＸ右入力＋Ｙ下入力された場合はＸ方向に割当てられた設定値一段アップとＹ方向に割当てられた設定値一段ダウンを同時に実施する。但し、どの方向キーにどの設定の変更操作を割り当てるかはユーザーが任意に設定できるものとする。
【００２８】
また本実施例において、上記３つの露出モードの切換えは、多方向キー１６のＺ方向入力により「Ｔｖ/Ａｖモード」→「Ｔｖ/ＩＳＯモード」→「Ａｖ/ＩＳＯモード」→「Ｔｖ/Ａｖモード」→…と予め決められたサイクルで変更可能である。なお、切換わる順序はこれに限らず、ユーザーが任意に設定できるものとする。
【００２９】
以上説明したように、本実施例によれば、視線の変更や操作する手を変更することなく、簡単かつ素早い操作で撮影者の意図通りに露出条件の変更が可能な撮像装置を提供することができる。
【００３０】
［実施例２］
次に、実施例２における露出モードの種類とその設定方法、各露出モードにおける露出パラメータの変更操作方法について説明する。図５（ａ）は実施例２における各露出モードでの露出パラメータの変更操作方法と各露出モードへの切換え操作方法を、図５（ｂ）は露出モード設定動作におけるフローチャートをそれぞれ示す。図中ではシャッター速度をＴｖ、絞り値をＡｖ、ＩＳＯ感度をＩＳＯと略表記する。なお、実施例２における露出モードの種類と、各露出モードにおける露出パラメータの変更操作方法に関しては図５（ａ）中に示し、説明は実施例１と同じであるため省略する。
【００３１】
実施例２では、多方向キー１６のＺ方向入力とＸＹ方向入力の組合せ操作により、現在の露出モードから前記３つの露出モードへダイレクトに切換えを行う。
【００３２】
シャッター速度と絞り値が任意に選択可能でＩＳＯ感度がオートである「Ｔｖ/Ａｖモード」への切換えは、Ｚ方向入力によりダイレクトに行う。シャッター速度とＩＳＯ感度が任意に選択可能で絞り値がオートである「Ｔｖ/ＩＳＯモード」への切換えは、Ｚ方向入力操作とＸ方向入力操作の組合せ操作によりダイレクトに行う。更に、絞り値とＩＳＯ感度が任意に選択可能でシャッター速度がオートである「Ａｖ/ＩＳＯモード」への切換えは、Ｚ方向入力操作とＹ方向入力操作の組合せ操作によりダイレクトに行う。
【００３３】
また、本実施例では、Ｚ方向入力操作とＸＹ方向への入力操作の組合せ操作をする場合、Ｚ方向入力の検知に対するＸＹ方向への入力検知タイミングによって組合せ操作であるか否かの判断を行っている。例えば、ＸＹ入力を検知している状態でＺ方向入力が検知された場合は、Ｚ方向入力は無効とし、通常のＸＹ入力操作であると判断する。一方、Ｚ方向入力検知と同時或いは検知後所定の時間内にＸＹ方向の入力を検知した場合は本所望の入力操作（Ｚ方向入力＋ＸＹ方向の入力の組合せ操作）が実行されたと判断する。
【００３４】
ここで、本実施例における露出モードの設定方法について、図５（ｂ）のフローチャート図を用いて詳しく説明する。まず、Ｓ３０１にて多方向キー１６のＺ方向入力操作が行われ、Ｚ入力が検知されるとＳ３０２に進む。Ｓ３０２ではＳ３０１でのＺ入力検知と同時、或いは検知後所定の時間内にＸＹいずれかの入力を検知したか否かを判断し、検知された場合Ｓ３０３に進み、検知されない場合はＳ３０８に進み露出モードを「Ｔｖ/Ａｖモード」に切換え本ルーチンを終了する。
【００３５】
Ｓ３０３ではＳ３０２で検知されたＸＹ入力の信号が１つであったかを判断し、入力信号が１つの場合はＳ３０４に進み、信号が複数の場合はＳ３０７に進み入力信号を無効とし本ルーチンを終了する。Ｓ３０４ではＳ３０２で検知した入力信号がＸかＹかを判断し、Ｘの場合はＳ３０５に進み露出モードを「Ｔｖ/ＩＳＯモード」に切換え、Ｙの場合はＳ３０６に進み露出モードを「Ａｖ/ＩＳＯモード」に切換えてそれぞれ本ルーチンを終了する。
【００３６】
ここで、本実施例において、ＴｖとＡｖがそれぞれマニュアル操作可能な時は、基本的にＴｖの設定変更はＸ方向、Ａｖの設定変更はＹ方向に割当てるように定義している。そのため、「Ｔｖ/ＩＳＯモード」「Ａｖ/ＩＳＯモード」への変更もユーザーが直感的に分かり易いように、「Ｔｖ/ＩＳＯモード」はＺ方向＋Ｘ方向操作、「Ａｖ/ＩＳＯモード」はＺ方向＋Ｙ方向操作で切換える設定としている。
【００３７】
なお、多方向キー１６に用いる操作デバイスが、Ｚ方向入力とＸＹ方向入力の２つの入力を同時に検知できないものであっても、Ｓ３０２の条件を「（Ｓ３０１から）所定の時間内にＸＹ入力を検知したか否か」とすれば上述したフローチャートと略同様の入力操作が可能である。
【００３８】
ここでの所定の時間は、通常のＸＹ操作に影響のないよう１秒程度に設定するのが好適であるが、ユーザーが好みに合わせて適宜設定可能とする。また、本実施例では「Ｔｖ/Ａｖモード」への切換えをＺ入力によりダイレクトに行う例を挙げたが、これに限らずＺ入力とＸＹ各方向への組合せ入力のいずれかに各露出モードへのダイレクト切換え操作を割当ててもよい。例えば、Ｚ入力のみは無効とし、Ｚ入力＋Ｘ左操作を「Ｔｖ/Ａｖモード」へのダイレクト切換え操作、Ｚ入力＋Ｘ右操作を「Ｔｖ/ＩＳＯモード」へのダイレクト切換え操作、Ｚ入力＋Ｙ上操作を「Ａｖ/ＩＳＯモード」へのダイレクト切換え操作に割当ててもよい。
【００３９】
以上説明したように、本実施例によれば、視線の変更や操作する手を変更することなく、簡単かつ素早い操作で撮影者の意図通りに露出条件の変更が可能となる撮像装置を提供することができる。
【００４０】
［実施例３］
次に実施例３における露出モードの種類と各露出モードにおける露出パラメータの変更操作方法及びＺ方向入力とＸＹ方向入力の組合せ操作方法について説明する。図６（ａ）に実施例３における各露出モードでのＸＹ方向入力操作方法及びＺ方向入力とＸＹ方向入力の組合せ操作方法を、図６（ｂ）はＺ方向入力とＸＹ方向入力の組合せ操作におけるフローチャートをそれぞれ示す。図中ではシャッター速度をＴｖ、絞り値をＡｖ、ＩＳＯ感度をＩＳＯと略表記する。
【００４１】
なお、実施例３における露出モードの種類と、各露出モードにおける露出パラメータの変更操作方法に関しては図６（ａ）中に示し、説明は実施例１と同じであるため省略する。
【００４２】
実施例３では、多方向キー１６のＺ方向入力とＸＹ方向入力の組合せ操作に、露出モード設定や露出補正量の設定等の複数の設定変更機能を割り当てる。
【００４３】
機能の割当て例として、本実施例では以下の組合せを例に挙げて説明する。Ｚ方向入力＋Ｘ方向右の組合せ操作には露出モード設定変更機能を割り当て、Ｚ方向入力＋Ｘ方向右入力の連続操作により露出モードを所定のサイクルで設定変更可能とする。Ｚ方向入力＋Ｙ方向上下の組合せ操作には露出補正量設定変更機能を割り当て、Ｚ方向入力＋Ｙ方向上下入力操作により露出補正量を段階的に設定変更可能とする。Ｚ方向入力＋Ｘ方向左入力操作には、前述した露出モード設定変更と露出パラメータの設定変更及び露出補正量の設定変更以外の設定変更機能を割り当て、Ｚ方向入力＋Ｘ方向左操作で設定変更可能とする。
【００４４】
また、本実施例では、Ｚ方向入力操作とＸＹ方向への入力操作の組合せ操作をする場合、Ｚ方向入力の検知に対するＸＹ方向への入力検知タイミングによって組合せ操作であるか否かの判断を行っている。
【００４５】
例えば、ＸＹ入力を検知している状態でＺ方向入力が検知された場合は、Ｚ方向入力は無効とし、通常のＸＹ入力操作であると判断する。一方、Ｚ方向入力検知と同時或いは検知後所定の時間内にＸＹ方向の入力を検知した場合は本所望の入力操作（Ｚ方向入力＋ＸＹ方向の入力の組合せ操作）が実行されたと判断する。更に、本実施例においてＺ方向入力は、Ｚ方向＋ＸＹ方向の組合せ操作による各種設定変更のために補助的に使用するため、Ｚ方向入力する毎に何らかの設定変更操作が実行されないようにＺ方向入力のみの操作は無効とする。
【００４６】
ここで、本実施例におけるＺ方向入力とＸＹ方向入力の組合せ操作手順について、図６（ｂ）のフローチャート図を用いて詳しく説明する
まず、Ｓ４０１にて多方向キー１６のＺ方向入力操作が行われ、Ｚ入力が検知オン状態となる。
【００４７】
次にＳ４０２では、Ｓ４０１でのＺ入力検知と同時、或いは検知後所定の時間内にＸＹいずれかの入力を検知したか否かを判断し、検知された場合Ｓ４０３に進み、検知されない場合はＳ４１２に進みＺ入力を無効とし本ルーチンを終了する。Ｓ４０３ではＳ４０２で検知されたＸＹ入力の信号が１つであったかを判断し、入力信号が１つの場合はＳ４０４に進み、信号が複数の場合はＳ４１１に進み入力信号を無効とし本ルーチンを終了する。
【００４８】
Ｓ４０４ではＳ４０２で検知した入力信号がＸＹ上下左右のいずれかを判断し、Ｘ右の場合はＳ４０９に、Ｙ上下の場合はＳ４０５に、Ｘ左の場合はＳ４０７にそれぞれ進む。Ｓ４０９では露出モードを所定のサイクルで一段変更したのちＳ４１０に進み、Ｓ４０１のＺ入力が検知オン状態のままＳ４０２で検知した信号と同じ入力信号が再入力されたかどうかを判断する。再入力が検知された場合はＳ４０９に戻り露出モードを所定のサイクルで一段変更する。
【００４９】
Ｓ４１０でＳ４０２と同じ入力信号が再入力されないままＺ入力がオフになった場合は本ルーチンを終了する。Ｓ４０５では、Ｓ４０２の入力信号がＹ上入力だった場合は、あらかじめ設定されたステップに応じて露出補正量を一段アップし、入力信号がＹ下入力だった場合にはあらかじめ設定されたステップ幅に応じて露出補正量を一段ダウンしＳ４０６に進む。
【００５０】
Ｓ４０６では、Ｓ４０１のＺ入力が検知オン状態のままＳ４０２で検知した信号と同じ入力信号が再入力されたかどうかを判断し、再入力が検知された場合はＳ４０５に戻り露出補正量の変更を行う。Ｓ４０６にてＳ４０２と同じ入力信号が再入力されないままＺ入力がオフになった場合は本ルーチンを終了する。
【００５１】
Ｓ４０７では、任意の設定が所定のサイクルで一段変更された後Ｓ４０８に進む。ここで、任意の設定とは露出モード設定変更と露出パラメータの設定変更及び露出補正量の設定変更以外の設定であり、設定項目はユーザーが任意に設定可能とする。Ｓ４０８では、Ｓ４０１のＺ入力が検知オン状態のままＳ４０２で検知した信号と同じ入力信号が再入力されたかどうかを判断し、再入力が検知された場合はＳ４０７に戻り任意の設定の変更を行う。Ｓ４０８にてＳ４０２と同じ入力信号が再入力されないままＺ入力がオフになった場合は本ルーチンを終了する。
【００５２】
なお、多方向キー１６に用いる操作デバイスが、Ｚ方向入力とＸＹ方向入力の２つの入力を同時に検知できないものであれば、Ｓ４０２の条件を「（Ｓ４０１から）所定の時間内にＸＹ入力を検知したか否か」とすればよい。更に、Ｓ４０６、Ｓ４０８、Ｓ４１０の条件は「（Ｓ４０２の入力から）所定の時間内にＳ４０２の入力の再入力を検知したか否か」とすれば上述したフローチャートと略同様の入力操作が可能である。
【００５３】
ここでの所定の時間は、通常のＸＹ操作に影響のないよう１秒程度に設定するのが好適であるが、ユーザーが好みに合わせて適宜設定可能とする。
【００５４】
以上説明したように、本実施例によれば、視線の変更や操作する手を変更することなく、簡単かつ素早い操作で撮影者の意図通りに露出条件の変更が可能な撮像装置を提供することができる。
【００５５】
以上、本発明の好ましい実施形態について説明したが、本発明はこれらの実施形態に限定されず、その要旨の範囲内で種々の変形及び変更が可能である。
【符号の説明】
【００５６】
１１  カメラ本体
１２  表示パネル
１３  ファインダ
１３ａ  ファインダ内表示部
１４  シャッターボタン
１５  電源スイッチ
１６  多方向キー
１６ａ  操作レバー
１６ｂ  押し子
１７  撮影レンズ
１８  検知スイッチ
２０  中央処理装置  
２１  測光センサ
２２  測光回路
２３  入力検出回路
２４  液晶表示駆動装置
２５  カラー液晶駆動装置
２６  撮像素子
【図１】
2018113533.tif 000003
【図２】
2018113533.tif 000004
【図３】
2018113533.tif 000005
【図４】
2018113533.tif 000006
【図５】
2018113533.tif 000007
【図６】
2018113533.tif 000008